(57)【要約】【課題】  第１の課題は排尿処理を真の意味で自動化し、患者が楽に排尿できるようにすることまた介護者の負担が軽減されるようにすることにある。また第２の課題は陰部洗浄の自動化を行ない得るようにして、さらなる省力化・衛生化を実現することにある。【解決手段】  集尿アタッチメントが、尿パイプを介して吸入ポンプの吸入口に接続されており、該吸入ポンプの排出口に尿タンクが設けられており、前記集尿アタッチメントに排尿を感知するための尿センサーが設けられており、該尿センサーからの尿感知信号を受けて前記吸入ポンプを動作させる尿感知回路を備えている電動屎瓶とした。さらに給水ポンプを備え、該給水ポンプの吸入口に洗浄水タンクが設けられており、給水ポンプの排出口と前記集尿アタッチメントに開口された噴射口とが洗浄水パイプで接続されているものとした。【選択図】  図１
2005177423.tif 000002
【特許請求の範囲】
【請求項１】
陰部に装着可能な集尿アタッチメントが、尿パイプを介して吸入ポンプの吸入口に接続されており、該吸入ポンプの排出口に尿タンクが設けられており、前記集尿アタッチメントに排尿を感知するための尿センサーが設けられており、該尿センサーからの尿感知信号を受けて前記吸入ポンプを動作させる尿感知回路を備えていることを特徴とする、電動屎瓶。
【請求項２】
給水ポンプを備え、該給水ポンプの吸入口に洗浄水タンクが設けられており、給水ポンプの排出口と前記集尿アタッチメントに開口された噴射口とが洗浄水パイプで接続されている、請求項１に記載の電動屎瓶。
【請求項３】
前記洗浄水タンクにヒーターが設けられている、請求項２に記載の電動屎瓶。
【請求項４】
前記集尿アタッチメントに、前記給水ポンプを動作させるための手動スイッチが設けられている、請求項２に記載の電動屎瓶。
【請求項５】
さらに前記尿センサーに向けた噴射口を備えている、請求項２に記載の電動屎瓶。
【請求項６】
前記尿センサーが複数個設けられている、請求項１に記載の電動屎瓶。
【請求項７】
前記尿センサーに尿を導くための溝が、前記集尿アタッチメントの内壁面に設けられている、請求項１に記載の電動屎瓶。
【請求項８】
前記尿パイプの接続口に尿を導くための溝が、前記集尿アタッチメントの内壁面に設けられている、請求項１に記載の電動屎瓶。
【請求項９】
前記集尿アタッチメントに、前記尿パイプの接続口が複数個設けられている、請求項１に記載の電動屎瓶。
【請求項１０】
前記集尿アタッチメントに、前記吸入ポンプを動作させるための手動スイッチが設けられている、請求項１に記載の電動屎瓶。
【請求項１１】
尿パイプを取り付けるための接続口と、尿感知回路に接続するための尿センサーとを備えていることを特徴とする、陰部に装着可能な集尿アタッチメント。
【請求項１２】
前記尿センサーが複数個設けられている、請求項１１に記載の陰部に装着可能な集尿アタッチメント。
【請求項１３】
前記尿センサーに尿を導くための溝が前記集尿アタッチメントの内壁面に設けられている、請求項１１に記載の陰部に装着可能な集尿アタッチメント。
【請求項１４】
集尿アタッチメントの外面部に、前記尿センサーの大凡の位置を示す目印が付されている、請求項１１に記載の陰部に装着可能な集尿アタッチメント。
【請求項１５】
洗浄水パイプを取り付けるための噴射口を備えている、請求項１１に記載の陰部に装着可能な集尿アタッチメント。
【請求項１６】
前記噴射口に尿の浸入を防ぐための逆流防止弁が設けられている、請求項１５に記載の陰部に装着可能な集尿アタッチメント。
【請求項１７】
更に前記尿センサーに向けた噴射口を備えている、請求項１５に記載の陰部に装着可能な集尿アタッチメント。
【請求項１８】
女性の陰部を覆い得ると共に男性の陰部を挿入可能な空洞部分を有する、請求項１１に記載の陰部に装着可能な集尿アタッチメント。
【請求項１９】
前記集尿アタッチメントに掛止具を備えている、請求項１１に記載の陰部に装着可能な集尿アタッチメント。
【発明の詳細な説明】
【技術分野】
【０００１】  この発明は尿センサーと電動ポンプとを備えて排尿の処理を真の意味で自動化し、患者が楽に排尿できるように、また介護者の負担が軽減されるようにした、全く新しい電動屎瓶および陰部に装着可能な集尿アタッチメントに関する。
【背景技術】
【０００２】  従来より自らトイレへ行けない病人や老齢者の排尿のために、プラスチックやガラスで作られた所謂屎瓶が用いられて来た。部屋にいるまま、床についたままこの屎瓶の中に排尿し、後から介護者などがトイレで流すなどして処理を行なっている。また特開２００２−０５８６９２号のような、患者の股に装着しその中に溜まった排泄物をこの装着具に設けた排泄物吸引口から排泄物タンクへと吸引する排泄物処理装置がある。
【特許文献１】特開２００２−０５８６９２号公報
【発明の開示】
【発明が解決しようとする課題】
【０００３】  しかしながら、このような屎瓶には次のような大きな問題があり、取り扱いが面倒であった。すなわち従来の所謂屎瓶は、尿を溜める容器の部分と、その容器の部分から頚のように伸びた採尿口の部分とから成るが、容器の部分と採尿口の部分とが近い位置にあるため、容器内の尿が逆流して容器の外へ漏れないようにしなくてはならない。このためには容器を傾けてはならず、従ってややもすれば患者側の姿勢の変更を余儀なくされ、患者にとっては無理な姿勢を取らせられることもままあった。また採尿口は大きく何時でも零してしまう心配があり、また臭気が漏れ出して病室特有の臭いを生み出し、当の患者にも介護者にも間接的な負担となっている。また特開２００２−０５８６９２号では、排泄物の除去吸引動作はタイマーにより定期的かつ自動的に、またはリモコン操作により随時行なわれるが、この方式であると排泄と同時の除去吸引処理は行なうことができず、タイムラグが発生するため、患者にとっては気持ちの悪さを我慢しなくてはならないような状況が生ずる。【０００４】  また特に女性の患者では、排尿の後に陰部を洗浄したいとする要求が強いために、蒸しタオルやウェットティッシュなどを用いて患者自らが陰部を拭ったり、介護者がこれを行なって上げなくてはならない。しかしながらこのような手間もないに越したことはなく、さらに衛生化を推し進める必要がある。【０００５】  そこでこの発明の第１の課題は、排尿の処理を真の意味で自動化して、患者が楽に排尿できるようにすること、また介護者の負担が軽減されるようにすることにある。またこの発明の第２の課題は、陰部の洗浄の自動化を行ない得るようにして、さらなる省力化・衛生化を実現することにある。
【課題を解決するための手段】
【０００６】  上記課題は、陰部に装着可能な集尿アタッチメントが、尿パイプを介して吸入ポンプの吸入口に接続されており、該吸入ポンプの排出口に尿タンクが設けられており、前記集尿アタッチメントに排尿を感知するための尿センサーが設けられており、該尿センサーからの尿感知信号を受けて前記吸入ポンプを動作させる尿感知回路を備えている、電動屎瓶とすることによって達成される。【０００７】  前記集尿アタッチメントに排尿を感知するための尿センサーが取り付けられており、この尿センサーからの尿感知信号を受けて前記吸入ポンプを動作させる尿感知回路を備えていることによって、手動スイッチの操作を行なうことなく前記電動式の吸入ポンプをＯＮ状態にすることができる。従って集尿アタッチメントを陰部に装着するだけで全ての準備は完了であり、排尿を始めると尿センサーと尿感知回路とでこれを感知して自動的に吸入ポンプをＯＮ状態にする。また排尿が終わって集尿アタッチメントから尿が排出され終わると、これを感知して自動的に吸入ポンプをＯＦＦ状態にするから、手動スイッチを操作するような手間が掛からない。【０００８】  なお後述するビデ付きのものでは、尿センサーと尿感知回路とで陰部洗浄後の排水を感知すると、やはり自動的に吸入ポンプをＯＮ状態にしてこれを排出し、処理終了後は自動的に吸入ポンプをＯＦＦ状態にすることができる。なおこれに対して、「吸入ポンプＯＮ−排尿−給水ポンプＯＮ−洗浄−給水ポンプＯＦＦ−吸入ポンプＯＦＦ」と言う一連の動作をプログラム化することもできるが、各々のポンプをＯＮ・ＯＦＦするトリガーとして尿センサーと尿感知回路とを設けることで、各々のポンプの動作タイミングを排尿開始・終了の実動作に合わせることができるのである。【０００９】  電動式の吸入ポンプがＯＮ状態になると、この吸入ポンプは吸い込みを開始するため、集尿アタッチメントの中の尿を尿パイプを介して吸入し、吸入ポンプの排出口から尿タンクへと送り出す。この動作は上述した尿センサーと尿感知回路とによって自動的に為される。従って集尿アタッチメントの中には尿が残らず、逆流もないため、外部に尿が零れる心配や臭気の問題等が解決されており、この後の集尿アタッチメントの取り扱いに特別に気を使うこともない。これによって第１の課題が達成されている。【００１０】  なお前記尿センサー以外に、別途手動スイッチを設けてあってよいことは言うまでもない。この場合には手動スイッチを入れて電動式の吸入ポンプをＯＮ状態にし、排尿後に手動スイッチを切って吸入ポンプをＯＦＦ状態にするのである。また尿センサーは、集尿アタッチメントに取り付けるのではなく尿パイプの入口付近に設けるようにしてもよく、この場合にはこの位置に尿が流れて来ることで排尿を感知することができる。【００１１】  なお吸入ポンプの電源は、これを家庭用等の電源コンセントから取るようにしてもよく、あるいはこの電動屎瓶に電池、蓄電池、燃料電池等を備えるようにしてもよい。なお集尿アタッチメントを陰部に装着すると言う場合、集尿アタッチメントを手で持って陰部に宛てがう他に、集尿アタッチメントにベルトを設けておき、このベルトを腰回りに掛けて集尿アタッチメントを陰部に宛てがったり、集尿アタッチメントをパンツに設けておき、このパンツを着用して集尿アタッチメントを陰部に宛てがうなどが可能である。【００１２】  またこのような電動屎瓶に於いて、給水ポンプを備え、給水ポンプの吸入口に洗浄水タンクが設けられており、給水ポンプの排出口と前記集尿アタッチメントに開口された噴射口とが洗浄水パイプで接続されている電動屎瓶とすることができる。【００１３】  これによれば、電動式の給水ポンプをＯＮ状態にすると洗浄水タンク内の水が吸入口から吸い出され、洗浄水パイプを通って集尿アタッチメントに開口された噴射口から陰部に向けて噴出される。これは所謂ビデであり、陰部の洗浄が自動的に為される。これにより第２の課題が達成されている。なおこの時には、前記吸入ポンプをＯＮ状態にしておき、陰部洗浄後の排水をこの集尿アタッチメントから排出するようにする。なおこの際に前記尿センサーが水洗されるようにすることも可能である。またビデを水洗のように用いる設計も可能である。【００１４】  なお前記洗浄水タンクにヒーターを設けたものでは、陰部に向けて温水を噴出させることができるので、冷たい思いをさせることがない。なお温水の温度調節手段を設ければ、適温に調節できるようにし得る。また洗浄水タンクにヒーターを設けるのではなく、洗浄水パイプにヒーターを沿わせるなどして設ける構成も可能である。【００１５】  なお前記集尿アタッチメントに給水ポンプを動作させるための手動スイッチが設けられている構成では、集尿アタッチメントを陰部に宛てがったまま、手元の手動スイッチを操作することが出来るため、給水ポンプ側のスイッチに手を伸ばすなどの面倒な動作が不要となり、操作の自然な流れを止めてしまうようなことがない。【００１６】  なお前記噴射口に付いて、さらに前記尿センサーに向けた噴射口を備えているものとすることができる。上述したように噴射口は陰部に向けて噴出されるようになっているが、さらに尿センサーに向けて噴出されるように噴射口を設けるのである。これによって尿センサーを洗浄し、汚れを除去して、尿センサーが常に正常に働くようにすることができる。【００１７】  上述のように尿センサーを設けることは有効であるが、前記尿センサーが複数個設けられているものとすると更に良い結果が得られる。すなわち尿センサーを２ヵ所にあるいは面上に配設することによって尿を検知する機会を増やすことができる。このため尿を排出し残したり、後から集尿アタッチメントの姿勢が代わるなどして不意に吸入ポンプがＯＮ状態になり患者をびっくりさせるような状況を減らすことが可能になる。【００１８】  同様のことは前記尿センサーに尿を導くための溝を、前記集尿アタッチメントの内壁面に設けるようにしても達成される。これは集尿アタッチメントの姿勢が傾くなどしても、残りの尿が尿センサーにこの溝を伝って届くようにする機会を増やすためである。【００１９】  さてこの発明の電動屎瓶では、さらに前記尿パイプの接続口に尿を導くための溝が、前記集尿アタッチメントの内壁面に設けられているものとすることができる。これは集尿アタッチメントの姿勢が傾くなどしても、残りの尿が尿パイプの接続口にこの溝を伝って届くようにする機会を増やす��めであって、尿の排出し残りを極力少なくしようとするためのものである。【００２０】  また同様のことは、前記集尿アタッチメントに前記尿パイプの接続口が複数個設けられているものとすることによっても達成可能である。尿パイプの接続口が複数個ありこの何れに対しても尿パイプが接続されているようにする。尿パイプの接続口を２ヵ所にあるいは面上に配設することによって、尿を排出する機会を増やすことができる。【００２１】  またこの発明の電動屎瓶では、前記集尿アタッチメントに、前記吸入ポンプを動作させるための手動スイッチが設けられているものとすることができる。これによれば集尿アタッチメントを陰部に宛てがったまま、手元のビデ用のスイッチを操作することができるため、患者の意志や介護者の都合でビデを用いたり用いなかったりすることが可能になる。手元に手動のスイッチがあることは便利なものである。【００２２】  ところで前記集尿アタッチメントに付いて、上記課題は、尿パイプを取り付けるための接続口と、尿感知回路に接続するための尿センサーとを備えていることを特徴とする、陰部に装着可能な集尿アタッチメントとすることによって達成される。このような集尿アタッチメントを、尿パイプを介して吸入ポンプに接続すると共に、尿センサーを尿感知回路に配線することにより、手動スイッチの操作を行なうことなく、電動式の吸入ポンプをＯＮ状態にすることができる。従ってこの集尿アタッチメントを陰部に装着するだけで全ての準備は完了であり、排尿を始めると尿センサーが働いて、尿感知回路に尿を感知したことを伝える。また排尿が終わって集尿アタッチメントから尿が排出され終わると、これを感知して尿感知回路に伝える。このようであるから手動スイッチを操作するような手間が掛からず、真の意味での自動化が達成される。【００２３】  なお前記尿センサーが複数個設けられているものとすれば、尿を検知する機会を増やすことができる。また前記尿センサーに尿を導くための溝が集尿アタッチメントの内壁面に設けられているものとすれば、尿が尿センサーにこの溝を伝って届くようにする機会を増やすことができる。【００２４】  なお集尿アタッチメントの外壁面に、前記尿センサーの大凡の位置を示す目印が付されているものとすることができる。この目印が設けられている所の辺りに尿センサーがあることが直感的に分かるから、これに従って集尿アタッチメントの姿勢を調節するのである。すなわちこの目印がなるべく下方へ来るようにすると良く、これによって尿が尿センサーに届く機会が増大する。【００２５】  さらに洗浄水パイプを取り付けるための噴射口とを備えているものとすることができる。このような集尿アタッチメントを尿パイプを介して吸入ポンプに接続すると共に、洗浄水パイプを介して給水ポンプに接続する。また尿センサーからの信号線を尿感知回路に接続する。そしてこの集尿アタッチメントを陰部に装着すれば、自動的に動作する電動屎瓶としてまたビデとして使用することができるようになる。【００２６】  なお前記噴射口に尿の浸入を防ぐための逆流防止弁を設けるようにすることができる。噴射口は洗浄水パイプを介して給水ポンプに接続されるが、この逆流防止弁によって、集尿アタッチメントから洗浄水パイプへ尿が流れ込むことを防止できる。逆流防止弁は一般的な弁の他、キャップ形状を呈する弾性体の頂部に、例えば十文字形状の切り込みを入れて噴射口としたものなどを利用し得る。【００２７】  なお前記尿センサーに向けた噴射口を備えているものでは、噴射によって水の尿センサーを洗浄し汚れを除去して、尿センサーが常に正常に動作するようにすることができる。【００２８】  さて上述したような集尿アタッチメントに関しては、さらに女性の陰部を覆い得ると共に男性の陰部を挿入可能な空洞部分を有するものとすることができる。集尿アタッチメントには、女性の陰部に合う形状の女性専用のもの、男性の陰部に合う形状の男性専用のものを提供することができるが、共用可能に成形されたものとしてもよい。病院などでは男女２タイプを用意する必要がなくなる。なお子供用のサイズのものも提供可能である。【００２９】  また上述したような集尿アタッチメントに掛止具を備えたものとしてもよい。集尿アタッチメントの不使用時には、これを掛止具を用いてベッドのパイプ柵等に掛止しておくことができる。集尿アタッチメントを直接床やベッドの上に置く場合と異なってこれ等を尿で汚してしまうような心配が少ない。また屎瓶の口がベッドの脇などのすぐ手の届く場所に、常時用意されている状態とすることができる。
【発明の効果】
【００３０】  この発明によれば排尿の処理が真の意味で自動化されており、患者が楽に排尿できるようになると共に介護者の負担が軽減されると言う効果を奏する。なお尿センサーが複数個設けられているものでは尿を検知する機会を増やすことができる。また第２の課題である陰部の洗浄の自動化が行なえるようになり、さらなる省力化・衛生化が実現されている。
【発明を実施するための最良の形態】
【００３１】（第１実施形態）
図１および図２を用いてこの発明の第１実施形態を表わすが、これは男性用の集尿アタッチメント１を備えた屎瓶であり、集尿アタッチメント１内に設けられている尿センサー１２が排尿を感知することで、若くは吸入ポンプ３や尿タンク４を納めた本体側のスイッチ５０または集尿アタッチメント１側のスイッチ１１を押すことで、集尿アタッチメント１に放尿されたものを尿タンク４に吸い出すタイプの屎瓶である。【００３２】  本体側のケース２の中には吸入ポンプ３および尿タンク４が納められており、吸入口３０から内部に引いた吸入パイプ３１が吸入ポンプ３の吸入口に接続されており、この吸入ポンプ３の排出口に接続された排出パイプ３２が尿タンク４の蓋部４０に接続されている。この蓋部４０はネジ込み式のものであって尿タンク４から取り外すことができる。またこの尿タンク４はケース２から取り出し可能に納められている。また上述した集尿アタッチメント１の尿センサー１２からの信号を受けて吸入ポンプ３を制御する制御回路８（尿感知回路である）を内蔵している。【００３３】  前記吸入ポンプ３には電源コード５が接続されており、家庭用の外部電源から電力の供給が受けられるようになっている。吸入ポンプ３はケース２に設けられた制御回路８にリード線５２で配線されている。またケース２の上部に設けられているスイッチ５０はリード線５１によって制御回路８に接続され、また後述する集尿アタッチメント１側のスイッチ１１及び尿センサー１２はリード線８０で制御回路８に接続されている。このリード線８０は、図１では後述する尿パイプ１４に添設されており、尿パイプ１４の影に隠れて図示されていない。【００３４】  次に小便器である集尿アタッチメント１は、図２で表わされているように男性性器Ｐが挿入可能な形状とされており、開口部１０を有し、最奥の底部には前記尿パイプ１４を接続するための接続口１３が開孔されている。また集尿アタッチメント１の前側（男性性器の挿入方向側）の下部にはスイッチ１１が設けられており、これは上述したように尿パイプ１４に添設されているリード線８０に接続されている。なお尿パイプ１４は吸入パイプ３１が接続されている吸入口３０に接続されている。すなわち吸入口３０はリード線８０の接続口であると共に、尿パイプ１４の接続口ともなっている。また特に集尿アタッチメント１の後側の下部には尿センサー１２が設けられており、図２で表わすようにこの集尿アタッチメント１に男性性器Ｐを適正に挿入した時に、集尿アタッチメント１の最底部にこの尿センサー１２が位置するようになっている。【００３５】  さて患者の男性性器Ｐを開口部１０から集尿アタッチメント１内に挿入し放尿を開始すると、尿が尿センサー１２に到達したことを尿センサー１２が感知し、吸入ポンプ３がＯＮになる。あるいはスイッチ１１またはスイッチ５０を押すと吸入ポンプ３がＯＮになるのでそこで放尿してもらうようにする。すると尿は尿パイプ１４、吸入口３０および吸入パイプ３１を介して吸い出され、排出パイプ３２から尿タンク４へと送られる。放尿が終わるとこのことを尿センサー１２が感知して吸入ポンプ３がＯＦＦになる。あるいは放尿が終わったならばこの集尿アタッチメント１内に尿が残っ���いないことを確認してから前記のスイッチ１１またはスイッチ５０をＯＦＦにする。尿タンク４に一定量の尿が溜まったならば尿タンク４から蓋部４０を外して、尿タンク４だけをケース２から取り出して尿を処理し、ケース２内に再びセットすればよい。【００３６】  なお集尿アタッチメント１の一部分を透明にして、内部の尿の状態が見られるようにしておくのも好ましい。なお図示していない透明窓がケース２に設けられており、この透明窓を透して尿タンク４に溜まった尿の量を調べることができるようになっている。【００３７】（第２実施形態）
図３および図４を用いてこの発明の第２実施形態を表わすが、これは女性用の集尿アタッチメント７を備えた屎瓶であり、本体側には吸入ポンプ３や尿タンク４の他にビデ用の洗浄水タンク４１や給水ポンプ６が納められている。また電源としての蓄電池５３が納められている。また後述する集尿アタッチメント７の尿センサー７２からの信号を受けて吸入ポンプ３を制御する制御回路８（尿感知回路である）を内蔵している。このような点に構成上の特徴を有する屎瓶であり、また尿の処理後に女性陰部Ｗを洗浄するビデとして機能するように構成されている点にも特徴がある。【００３８】  図３で示すように、本体側のケース２０の中に吸入ポンプ３および尿タンク４が納められており、吸入口３０から内部に引いた吸入パイプ３１が吸入ポンプ３の吸入口に接続されており、この吸入ポンプ３の排出口に接続された排出パイプ３２が尿タンク４の蓋部４０に接続されている。この蓋部４０はネジ込み式のものであって尿タンク４から取り外すことができる。またこの尿タンク４はケース２から取り出し可能に納められている。また制御回路８の入力端子にはリード線８０が接続されており、このリード線８０には後述する集尿アタッチメント７のスイッチ７１や尿センサー７２に接続されている線が束ねられている他、図示しないリード線で後述する洗浄水タンク４１内に設けた電熱ヒーター８１に接続されている。【００３９】  また前記ケース２０の中にはビデ用の洗浄水タンク４１や給水ポンプ６が納められており、この給水ポンプ６の吸入口と、洗浄水タンク４１に着脱自在に取り付けた蓋部４２との間は、吸入パイプ６２により接続されている。この蓋部４２はネジ込み式のものであって洗浄水タンク４１から取り外すことができる。この洗浄水タンク４１もまた尿タンク４と同様にケース２から取り出し可能に納められている。また給水ポンプ６の出力である給水パイプ６１はケース２０に設けられた給水口６０に接続されている。【００４０】  次に小便器である集尿アタッチメント７は、図４で表わされているように開口部７０で女性陰部Ｗの全体を覆い得る形状とされており、最奥の底部には後述する尿パイプ７５を接続するための接続口７３が開孔されている。この接続口７３の近傍で集尿アタッチメント７の最底部には尿センサー７２が設けられており、この尿センサー７２は前記リード線８０を介して制御回路８の入力端子に接続されている。また集尿アタッチメント７の前側（図４の右側）の上部にはスイッチ７１が設けられており、これはまた前記リード線８０を介して制御回路８の入力端子に接続されている。さらに前記接続口７３とスイッチ７１との間には噴射口７４が開孔されており、この噴射口７４には洗浄水パイプ７６が接続され、この洗浄水パイプ７６は前記給水口６０に接続されている。また前記吸入口３０には前記尿パイプ７５が接続されている。【００４１】  さて図示しない本体電源スイッチをＯＮにすると、制御回路８に電力が供給されてリセットされると共に、電熱ヒーター８１に通電されて、洗浄水タンク４１内の洗浄水が制御回路８の制御を受けつつ加熱され、設定された摂氏２０度近辺に適温に保たれる。【００４２】  そこで患者の女性陰部Ｗをこの集尿アタッ��メント７の開口部７０に宛てがうようにして装着する。そこで放尿が始まると尿は集尿アタッチメント７の最底部に達するが、そこには赤外線を受光してその変化を感知し得る尿センサー７２が設けられているため、尿を感知するとその信号は前記リード線８０を介して制御回路８に入力される。すると制御回路８０は吸入ポンプ３をＯＮ状態とするように設定されているため、吸入ポンプ３が作動して接続口７３から尿を吸い出す。また前記尿センサー７２が尿を感知しなくなると、制御回路８０は吸入ポンプ３をＯＦＦ状態にする。このように尿センサー７２によって自動的に吸入ポンプ３のＯＮ・ＯＦＦを行なうことができる。【００４３】  そして放尿を終了した後にビデを使用したいとする希望があるならば、上述したスイッチ７１を押すことにより給水ポンプ６を動作させることができる。給水ポンプ６は洗浄水タンク４１内の温水を吸入パイプ６２を介して吸い上げ、給水パイプ６１、給水口６０、洗浄水パイプ７６を介して前記噴射口７４に供給するため、この噴射口７４からは温水が女性陰部Ｗに向けて勢い良く放射されることになる。この洗浄後の汚水は尿センサー７２により感知され、自動的に前記吸入ポンプ３が作動して接続口７３より排出され、尿センサー７２が感知しなくなると吸入ポンプ３は停止する。【００４４】  なお集尿アタッチメント７の一部分を透明にして、内部の尿の状態が見られるようにしておくのも好ましい。なお図示していない透明窓がケース２０に設けられており、この透明窓を透して尿タンク４に溜まった尿の量や洗浄水タンク４１内の温水の残量を調べることができるようになっている。【００４５】（第３実施形態）
図５および図６を用いてこの発明の第３実施形態を表わすが、この実施形態の集尿アタッチメント７が上述した第２実施形態のそれと異なる点は、尿センサー７２が集尿アタッチメント７内の３ヵ所に設けられている点にある。また制御部８２には設定部８３が設けられている点にある。【００４６】  すなわち集尿アタッチメント７の最底部の中央部と、接続口７３と噴射口７４との間の両側部との３ヵ所に尿センサー７２が設けられている。この構成によれば、患者の体位が傾むくなどして集尿アタッチメント７が傾斜姿勢を取るような場合でも、両側部の尿センサー７２が尿を感知できる機会が増えると言う効果を奏する。なおこの実施形態に於ける噴射口７４は、その噴射口が患者の女性陰部Ｗに向けられている他に、上述した３ヵ所に設けた尿センサー７２にも向けられている。これによってビデとして使用する際に３ヵ所の尿センサー７２を同時に洗浄することができる。【００４７】  またこの制御部８２には設定部８３が設けられており、この実施形態ではこの設定部８３を使用して図６で示した動作フローを設定して、吸入ポンプ３と給水ポンプ６とを制御するようにした。すなわち尿センサー７２が尿を感知したならば（ステップＳ１）、吸入ポンプ３をＯＮにして尿を吸い出す排水処理を行ない（ステップＳ２）、排水処理が終了したか否か（尿センサー７２が尿を感知しなくなったかどうか）を判断して（ステップＳ３）、尿センサー７２が尿を感知している内は吸入ポンプ３をＯＮにし続け、尿センサー７２が尿を感知しなくなったならば、続いて給水ポンプ６をＯＮ状態にして女性陰部Ｗの洗浄処理を行ない（ステップＳ４）、この間も汚水を吸い出す排水処理を継続して、設定部８３で設定されている設定時間の経過を監視し、設定時間が経過したならば（ステップＳ５）、給水ポンプ６をＯＦＦにして洗浄処理を停止し（ステップＳ６）、汚水を吸い出し終わる時間として設定された時間後に、継続中の排水処理を停止して（ステップＳ７）、この一連の動作を終了する。なお設定部８３には、この動作フローではないフローを設定することが可能である。またここで湯温調節の設定を可能にすれば、夏と冬とで湯温を変えることができる。【００４８】（第４実施形態）
次に図７を用いてこの発明の第４実施形態の集尿アタッチメント７を表わす。集尿アタッチメント７の内側の底部にさらに一段低い低底部７７を形成し、この低底部７７に３方から接続する導入溝７８を形成して、前記低底部７７の中央部に尿センサー７２を設けて成る。この構成によれば、患者の体位が傾むくなどして集尿アタッチメント７が傾斜姿勢を取るような場合でも、導入溝７８を伝って尿が尿センサー７２に触れる機会を増大することができる。【００４９】  なおこのような導入溝７８を尿センサー７２のためではなく、尿パイプの接続口７３に尿を導くために必要なものとして設けてもよい。例えば図７を用いることで図示を省くが尿センサー７２の代わりに接続口７３を設けるのである。これによれば、集尿アタッチメント７の姿勢が傾くなどしても、残りの尿が尿パイプの接続口７３にこの溝を伝って届くようにする機会を増やすことが可能である。なおこれと同様の考え方に基づくものとして次の第５実施形態を上げる。【００５０】（第５実施形態）
次に図８を用いてこの発明の第５実施形態の集尿アタッチメント７を表わす。集尿アタッチメント７の最底部の中央部と、それより上方（図の上方）の両側部との３ヵ所に接続口７３が設けられており、３ヵ所の接続口７３は各々尿パイプ７５に接続されている。なお最終的にはこれ等３つの尿パイプ７５は１本に統合されて、吸入口３０に接続されるものである。【００５１】  この構成によれば、患者の体位が傾むくなどして集尿アタッチメント７が傾斜姿勢を取るような場合でも、少なくとも何れか１の接続口７３から尿を排出できる機会が増えると言うものである。【００５２】（第６実施形態）
次に図９を用いてこの発明の第６実施形態の集尿アタッチメントのノズル７９を表わす。ノズル７９そのものは弾力性を有するラテックスゴムによって成型されたものであり、この先端部には弁として動作し得る厚みを持たせてあり、この先端部に十文字形状を呈する十字スリット７００が設けられている。このノズル７９は前記噴射口７４に取り付けられている。【００５３】  ノズル７９が弾力性を有するラテックスゴムから成るものであるため、通常はその弾力性により十字スリット７００は密着した状態にある。しかしながら洗浄水パイプ７６内に洗浄水が通るようになると圧力が高まり、十字スリット７００が自然に開いて洗浄水が噴出する。洗浄水が停止すると圧力が低くなって、十字スリット７００が密着した状態に戻るため、汚水が洗浄水パイプ７６内に逆流するようなことが防げる。【００５４】（第７実施形態）
次に図１０を用いてこの発明の第７実施形態を表わすが、この実施形態の集尿アタッチメント９は男女兼用となっている。すなわち恰も上述した第１実施形態の男性用の集尿アタッチメント１と第２実施形態の女性用の集尿アタッチメント７とを合体させたような外観形状を呈して（破線を参照のこと）、女性の陰部を覆い得ると共に男性の陰部が挿入可能なものとなっている。【００５５】  図中符号９０は陰部に宛てがう開口部、符号９１はビデのスイッチ、符号９２は尿パイプ９３の接続口、符号９４は掛止具としてのクリップ、また符号９５は集尿アタッチメント９内に設けられた尿センサーの大凡の位置を示す目印となるマークである。このマーク９５の位置がなるべく下方へ来るように集尿アタッチメント９の姿勢を調節しつつ放尿するようにする。なおこの集尿アタッチメント９の不使用時には、クリップ９４を用いてベッドの手摺などに掛止しておくようにすると、寝具などを汚さず清潔に保つことが可能である。【００５６】  なおこの発明は上述した実施形態に限定されないから、集尿アタッチメントの形状は任意でありその材質なども特に規定されるものでない。またポンプの種類や各種パイプの引き回し方法なども自由である。また制御回路に付いても任意に設計することができる。またセンサーを備えるものでは使用するセンサーの種類に付いて、電極間の水分のあるなしによって通電抵抗値が変化することを利用した電気抵抗センサーなどを自由に選択してよい。また尿センサーの大凡の位置を示す目印となるマークを設ける場合であって、尿センサーが複数箇所に設けられている場合には、マークをその全てに設けても、いくつかの主要なものに設けても、あるいは通常使用で最底部に位置する尿センサー１つにだけ設けるようにしてもよい。
【図面の簡単な説明】
【００５７】
【図１】  第１実施形態の説明図である。
【図２】  同実施形態の集尿アタッチメント１の説明図である。
【図３】  第２実施形態の説明図である。
【図４】  同実施形態の集尿アタッチメント７の説明図である。
【図５】  第３実施形態の説明図である。
【図６】  同実施形態の動作フロー図である。
【図７】  第４実施形態の集尿アタッチメント７の部分斜視図である。
【図８】  第５実施形態の集尿アタッチメント７の説明図である。
【図９】  第６実施形態の噴射口７４の斜視図である。
【図１０】  第７実施形態の側面図である。
【符号の説明】
【００５８】１    集尿アタッチメント
１０  開口部
１１  スイッチ
１２  尿センサー
１３  接続口
１４  尿パイプ
２    ケース
２０  ケース
３    吸入ポンプ
３０  吸入口
３１  吸入パイプ
３２  排出パイプ
４    尿タンク
４０  蓋部
４１  洗浄水タンク
４２  蓋部
５    電源コード
５０  スイッチ
５１  リード線
５２  リード線
５３  蓄電池
６    給水ポンプ
６０  給水口
６１  給水パイプ
６２  吸入パイプ
７    集尿アタッチメント
７０  開口部
７１  スイッチ
７２  尿センサー
７３  接続口
７４  噴射口
７５  尿パイプ
７６  洗浄水パイプ
７７  低底部
７８  導入溝
７９  ノズル
７００十字スリット
８    制御回路
８０  リード線
８１  電熱ヒーター
８２  制御部
８３  設定部
９    集尿アタッチメント
９０  開口部
９１  スイッチ
９２  接続口
９３  尿パイプ
９４  掛止具
９５  マーク
【図１】
2005177423.tif 000003
【図２】
2005177423.tif 000004
【図３】
2005177423.tif 000005
【図４】
2005177423.tif 000006
【図５】
2005177423.tif 000007
【図６】
2005177423.tif 000008
【図７】
2005177423.tif 000009
【図８】
2005177423.tif 000010
【図９】
2005177423.tif 000011
【図１０】
2005177423.tif 000012
【手続補正書】
【提出日】平成16年1月9日(2004.1.9)
【手続補正１】
【補正対象書類名】明細書
【補正対象項目名】００５７
【補正方法】変更
【補正の内容】
【００５７】
【図１】第１実施形態の説明図である。
【図２】同実施形態の集尿アタッチメント１の説明図である。
【図３】第２実施形態の説明図である。
【図４】同実施形態の集尿アタッチメント７の説明図である。
【図５】第３実施形態の説明図である。
【図６】同実施形態の動作フロー図である。
【図７】第４実施形態の集尿アタッチメント７の部分斜視図である。
【図８】第５実施形態の集尿アタッチメント７の説明図である。
【図９】（ａ）は第６実施形態の噴射口７４の斜視図であり、また（ｂ）は噴射口７４の平面図である。
【図１０】第７実施形態の側面図である。
【手続補正２】
【補正対象書類名】図面
【補正対象項目名】図９
【補正方法】変更
【補正の内容】
【図９】
2005177423.tif 000013